(57)【要約】【課題】外部からの直流供給線路を配設して、配線器具を前記直流供給線路に接続することでＡＣ／ＤＣコンバータを不要とすることができる配線器具及び配線器具を用いた給電システムを提供する。【解決手段】造営材に取り付けられる配線器具１であって、外部からの直流供給線路Ｗｄｃに接続される直流入力端子２１と、直流入力端子２１を介して外部からの直流供給線路Ｗｄｃから供給される直流電力を電気機器に供給するため該電気機器に接続される機器用出力端子３と、直流入力端子２１を介して外部からの直流供給線路Ｗｄｃから供給された直流電力により動作するセンサ回路４１及び人体検知センサ４２からなる人体検知回路部４と、人体検知回路部４からの検知信号に基づいて直流入力端子２１と機器用出力端子３との間を接続する給電路１２の通電を制御する給電制御部５と、を備える。【選択図】        図１
2010040389.tif 000002
【特許請求の範囲】
【請求項１】
造営材に取り付けられる配線器具であって、外部からの直流供給線路に接続される直流入力端子と、直流入力端子を介して外部からの直流供給線路から供給される直流電力を電気機器に供給するため該電気機器に接続される機器用出力端子と、直流入力端子を介して外部からの直流供給線路から供給された直流電力により動作するセンサ回路及び人体検知センサからなる人体検知回路部と、人体検知回路部からの検知信号に基づいて直流入力端子と機器用出力端子との間を接続する給電路の通電を制御する給電制御部と、を備えて成ることを特徴とする配線器具。
【請求項２】
造営材に取り付けられる配線器具であって、外部からの交流供給線路に接続される交流入力端子と、交流入力端子を介して外部からの交流供給線路から供給される交流電力を電気機器に供給するため該電気機器に接続される機器用出力端子と、外部からの直流供給線路に接続される直流入力端子と、直流入力端子を介して外部からの直流供給線路から供給された直流電力により動作するセンサ回路及び人体検知センサからなる人体検知回路部と、人体検知回路部からの検知信号に基づいて交流入力端子と機器用出力端子との間を接続する給電路の通電を制御する給電制御部と、を備えて成ることを特徴とする配線器具。
【請求項３】
直流入力端子を介して外部からの直流供給線路から供給される直流電力を変圧してセンサ回路に供給するためのＤＣ／ＤＣコンバータを設けて成ることを特徴とする請求項１又は２記載の配線器具。
【請求項４】
直流入力端子と機器用出力端子と人体検知回路部と給電制御部とを一つの本体ケーシングに収納して成ることを特徴とする請求項１乃至３のいずれか一項に記載の配線器具。
【請求項５】
直流入力端子と機器用出力端子と給電制御部とを一つの本体ケーシングに収納し、人体検知回路部を前記本体ケーシングとは別体として設けて成ることを特徴とする請求項１乃至３のいずれか一項に記載の配線器具。
【請求項６】
配線器具は、電気機器としての照明器具が接続されるシーリングであることを特徴とする請求項１乃至５のいずれか一項に記載の配線器具。
【請求項７】
屋内に外部からの直流供給線路を配設すると共に、請求項１乃至６のいずれか一項に記載の配線器具を複数接続して成ることを特徴とする配線器具を用いた給電システム。
【請求項８】
屋内の通路に沿って外部からの直流供給線路を配設すると共に、請求項６記載の配線器具としてのシーリングを複数接続し、各シーリングに電気機器としての照明器具を接続し、人体検知回路部からの検知信号に基づいて照明器具の点灯状態を制御して成ることを特徴とする配線器具を用いた給電システム。
【発明の詳細な説明】
【技術分野】
【０００１】
本発明は、配線器具及び配線器具を用いた給電システムに関するものである。
【背景技術】
【０００２】
従来より、商用の交流電源から電力の供給を受けて動作する、人体検知センサを備えた配線器具が知られている（例えば特許文献１参照）。
【０００３】
特許文献１に記載された配線器具は、天井に取り付けられる引掛シーリングであって、人体検知センサにより人体が検知された時に、該引掛シーリングに装着されている照明器具への給電を行い、人体検知センサにより人体が検知されていない時には、照明器具への給電を行わない、といった制御を行うものである。
【特許文献１】特開平８−１６９３７号公報
【発明の開示】
【発明が解決しようとする課題】
【０００４】
ところで、上記のような配線器具は、商用の交流をＡＣ／ＤＣコンバータにより直流に変換して、人体検知センサを動作させるセンサ回路に給電しているが、前記交流から直流への変換において大きなロスが生じると共に、各配線器具毎にＡＣ／ＤＣコンバータを設ける必要があり、製造コストが高くつくという問題があった。
【０００５】
本発明は上記従来の問題点に鑑みて発明したものであって、その目的とするところは、外部からの直流供給線路を配設して、配線器具を前記直流供給線路に接続することでＡＣ／ＤＣコンバータを不要とする配線器具及び配線器具を用いた給電システムを提供することを課題とするものである。
【課題を解決するための手段】
【０００６】
上記課題を解決するために請求項１に係る配線器具にあっては、造営材に取り付けられる配線器具１であって、外部からの直流供給線路Ｗｄｃに接続される直流入力端子２１と、直流入力端子２１を介して外部からの直流供給線路Ｗｄｃから供給される直流電力を電気機器に供給するため該電気機器に接続される機器用出力端子３と、直流入力端子２１を介して外部からの直流供給線路Ｗｄｃから供給された直流電力により動作するセンサ回路４１及び人体検知センサ４２からなる人体検知回路部４と、人体検知回路部４からの検知信号に基づいて直流入力端子２１と機器用出力端子３との間を接続する給電路１２の通電を制御する給電制御部５と、を備えて成ることを特徴とするものである。
【０００７】
また、請求項２に係る配線器具にあっては、造営材に取り付けられる配線器具１であって、外部からの交流供給線路Ｗａｃに接続される交流入力端子と、交流入力端子を介して外部からの交流供給線路Ｗａｃから供給される交流電力を電気機器に供給するため該電気機器に接続される機器用出力端子３と、外部からの直流供給線路Ｗｄｃに接続される直流入力端子２１と、直流入力端子２１を介して外部からの直流供給線路Ｗｄｃから供給された直流電力により動作するセンサ回路４１及び人体検知センサ４２からなる人体検知回路部４と、人体検知回路部４からの検知信号に基づいて交流入力端子と機器用出力端子３との間を接続する給電路１２の通電を制御する給電制御部５と、を備えて成ることを特徴とするものである。
【０００８】
また、請求項３に係る発明は、請求項１又は２に係る発明において、直流入力端子２１を介して外部からの直流供給線路Ｗｄｃから供給される直流電力を変圧してセンサ回路４１に供給するためのＤＣ／ＤＣコンバータ１４を設けて成ることを特徴とするものである。
【０００９】
また、請求項４に係る発明は、請求項１乃至３のいずれか一項に係る発明において、直流入力端子２１と機器用出力端子３と人体検知回路部４と給電制御部５とを一つの本体ケーシング１０に収納して成ることを特徴とするものである。
【００１０】
また、請求項５に係る発明は、請求項１乃至３のいずれか一項に係る発明において、直流入力端子２１と機器用出力端子３と給電制御部５とを一つの本体ケーシング１０に収納し、人体検知回路部４を前記本体ケーシング１０とは別体として設けて成ることを特徴とするものである。
【００１１】
また、請求項６に係る発明は、請求項１乃至５のいずれか一項に係る発明において、配線器具１は、電気機器としての照明器具１０２ａが接続されるシーリング（引掛シーリング１ａ）であることを特徴とするものである。
【００１２】
また、請求項７に係る配線器具を用いた給電システムは、屋内に外部からの直流供給線路Ｗｄｃを配設すると共に、請求項１乃至６のいずれか一項に記載の配線器具１を複数接続して成ることを特徴とするものである。
【００１３】
また、請求項８に係る配線器具を用いた給電システムは、屋内の通路に沿って外部からの直流供給線路Ｗｄｃを配設すると共に、請求項６記載の配線器具１としてのシーリングを複数接続し、各シーリングに電気機器としての照明器具１０２ａを接続し、人体検知回路部からの検知信号に基づいて照明器具１０２ａの点灯状態を制御して成ることを特徴とするものである。
【発明の効果】
【００１４】
請求項１記載の発明にあっては、外部からの直流供給線路に接続されることを前提として、センサ回路に直流供給線路からの直流電力を直接供給するため、従来のように交流から直流へ変換する際にＡＣ／ＤＣコンバータで大きなロスが生じるといったことがなくて消費電力を抑えることができ、また、配線器具にＡＣ／ＤＣコンバータを設ける必要がなく、製造コストを抑えることができる。
【００１５】
また請求項２記載の発明にあっては、外部からの直流供給線路に接続されることを前提として、センサ回路に直流供給線路からの直流電力を直接供給するため、従来のように交流から直流へ変換する際にＡＣ／ＤＣコンバータで大きなロスが生じるといったことがなくて消費電力を抑えることができ、また、配線器具にＡＣ／ＤＣコンバータを設ける必要がなく、製造コストを抑えることができる。また、交流の電気機器を接続して使用することもできる。
【００１６】
また請求項３記載の発明にあっては、センサ回路の動作電圧と直流供給線路の直流電圧とが異なる場合でも対応することができる。
【００１７】
また請求項４記載の発明にあっては、人体検知回路部を本体ケーシングとは別に設ける必要がないため、人体検知回路部の設置スペースを造営面に別に設ける必要がなく、また施工の手間も省ける。
【００１８】
また請求項５記載の発明にあっては、造営面における本体ケーシングの取り付け箇所から離れた箇所に人体検知センサを取り付けることが可能となって、人体検知センサの設置位置の自由度が増す。
【００１９】
また請求項６記載の発明にあっては、人体の検知により自動で照明器具の点灯及び消灯を制御することができ、暗い部屋等で点灯／消灯の操作部の位置が分からない時でも点灯が素早く確実に行われ、また、使用者が自ら操作部を操作する手間が省ける。
【００２０】
また請求項７記載の発明にあっては、請求項１乃至６のいずれかに記載の配線器具を複数設けるため、ＡＣ／ＤＣコンバータで大きなロスがなく消費電力を抑えることができる、配線器具にＡＣ／ＤＣコンバータを設ける必要がなく製造コストを抑えることができる、という効果が大きく得られるものである。
【００２１】
また請求項８記載の発明にあっては、人の移動に伴って、人が近接している照明器具のみ点灯させて他の照明器具を消灯させることができて、無駄な電力消費を抑えることができて省エネ効果が高いものである。
【発明を実施するための最良の形態】
【００２２】
以下、本発明の配線器具の一実施形態について添付図面に基づいて説明する。本発明は、外部からの直流供給線路に接続される配線器具であって、まず、屋内への直流配電システムについて説明する。
【００２３】
以下に示す直流配電システムは、建物として戸建て住宅の家屋を想定しているが、本発明の技術思想を集合住宅に適用することを妨げるものではない。家屋Ｈには、図２に示すように、直流電力を出力する直流電力供給部１０１と、直流電力により駆動される負荷としての直流機器１０２とが設けられ、直流電力供給部１０１の出力端部に接続した直流供給線路Ｗｄｃを通して直流機器１０２に直流電力が供給される。直流電力供給部１０１と直流機器１０２との間には、直流供給線路Ｗｄｃに流れる電流を監視し、異常を検知したときに直流供給線路Ｗｄｃ上で直流電力供給部１０１から直流機器１０２への給電を制限ないし遮断する直流ブレーカ１１４が設けられる。
【００２４】
直流供給線路Ｗｄｃは、直流電力の給電路であるとともに通信路としても兼用されており、高周波の搬送波を用いてデータを伝送する通信信号を直流電圧に重畳することにより直流供給線路Ｗｄｃに接続された機器間での通信を可能にしている。この技術は、交流電力を供給する電力線において交流電圧に通信信号を重畳させる電力線搬送技術と類似した技術である。
【００２５】
直流供給線路Ｗｄｃは、直流電力供給部１０１を介して宅内サーバ１１６に接続される。宅内サーバ１１６は、宅内の通信網（以下、「宅内網」という）を構築する主装置であり、宅内網において直流機器１０２が構築するサブシステムなどと通信を行う。
【００２６】
図示例では、サブシステムとして、パーソナルコンピュータ、無線アクセスポイント、ルータ、ＩＰ電話機のような情報系の直流機器１０２からなる情報機器システムＫ１０１、照明器具１０２ａのような照明系の直流機器１０２からなる照明システムＫ１０２，Ｋ１０５、来客対応や侵入者の監視などを行う直流機器１０２からなる玄関システムＫ１０３、火災感知器のような警報系の直流機器１０２からなる住警器システムＫ１０４などがある。各サブシステムは、自立分散システムを構成しており、サブシステム単独でも動作が可能になっている。
【００２７】
上述した直流ブレーカ１１４は、サブシステムに関連付けて設けられており、図示例では、情報機器システムＫ１０１、照明システムＫ１０２および玄関システムＫ１０３、住警器システムＫ１０４、照明システムＫ１０５に関連付けて４個の直流ブレーカ１１４を設けている。１台の直流ブレーカ１１４に複数個のサブシステムを関連付ける場合には、サブシステムごとに直流供給線路Ｗｄｃの系統を分割する接続ボックス１２１が設けられる。図示例においては、照明システムＫ１０２と玄関システムＫ１０３との間に接続ボックス１２１が設けられている。
【００２８】
情報機器システムＫ１０１としては、壁コンセントあるいは床コンセントの形態で家屋Ｈに先行配置（家屋Ｈの建築時に施工）される直流コンセント１３１に接続される直流機器１０２からなる情報機器システムＫ１０１が設けられる。
【００２９】
照明システムＫ１０２、Ｋ１０５としては、家屋Ｈに先行配置される直流機器１０２としての照明器具１０２ａからなる照明システムＫ１０２と、天井に先行配置される引掛シーリング１に接続する照明器具１０２ａ（直流機器１０２）からなる照明システムＫ１０５とが設けられる。引掛シーリング１には、家屋Ｈの内装施工時に施工業者が照明器具１０２ａを取り付けるか、または家人自身が照明器具１０２ａを取り付ける。
【００３０】
照明システムＫ１０２を構成する直流機器１０２である照明器具１０２ａに対する制御の指示は、赤外線リモコン装置を用いて与えるほか、直流供給線路Ｗｄｃに接続されたスイッチ１４１から通信信号を用いて与えることができる。すなわち、スイッチ１４１は直流機器１０２とともに通信の機能を有している。また、スイッチ１４１の操作によらず、宅内網の別の直流機器１０２あるいは宅内サーバ１１６から通信信号により制御の指示がなされることもある。照明器具１０２ａへの指示には、点灯、消灯、調光、点滅点灯などがある。
【００３１】
上述した直流コンセント１３１、引掛シーリング１には、任意の直流機器１０２を接続することができ、接続された直流機器１０２に直流電力を出力するから、以下では直流コンセント１３１、引掛シーリング１を区別する必要がない場合には「直流アウトレット」と呼ぶ。
【００３２】
これらの直流アウトレットは、直流機器１０２に直接設けた接触子（図示せず）または接続線を介して設けた接触子（図示せず）が差し込まれる差込式の接続口が器体に開口し、接続口に差し込まれた接触子に直接接触する接触子受けが器体に保持された構造を有している。すなわち、直流アウトレットは接触式で給電を行う。直流アウトレットに接続された直流機器１０２が通信機能を有する場合には、直流供給線路Ｗｄｃを通して通信信号を伝送することが可能になる。直流機器１０２だけではなく直流アウトレットにも通信機能が設けられている。
【００３３】
宅内サーバ１１６は、宅内網に接続されるだけではなく、インターネットを構築する広域網ＮＴに接続される接続口を有している。宅内サーバ１１６が広域網ＮＴに接続されている場合には、広域網ＮＴに接続されたコンピュータサーバであるセンタサーバ２００によるサービスを享受することができる。
【００３４】
センタサーバ２００が提供するサービスには、広域網ＮＴを通して宅内網に接続された機器（主として直流機器１０２であるが通信機能を有した他の機器も含む）の監視や制御を可能にするサービスがある。このサービスにより、パーソナルコンピュータ、インターネットＴＶ、移動体電話機などのブラウザ機能を備える通信端末（図示せず）を用いて宅内網に接続された機器の監視や制御が可能になる。
【００３５】
宅内サーバ１１６は、広域網ＮＴに接続されたセンタサーバ２００との間の通信と、宅内網に接続された機器との間の通信との両方の機能を備え、宅内網の機器に関する識別情報（ここでは、ＩＰアドレスを用いるものとする）の取得の機能を備える。
【００３６】
宅内サーバ１１６は、センタサーバ２００との通信機能を用いることにより、広域網ＮＴに接続された通信端末からセンタサーバ２００を通して宅内の機器の監視や制御を可能にする。センタサーバ２００は、宅内の機器と広域網ＮＴ上の通信端末とを仲介する。
【００３７】
通信端末から宅内の機器の監視や制御を行う場合は、監視や制御の要求をセンタサーバ２００に記憶させ、宅内の機器は定期的に片方向のポーリング通信を行うことにより、通信端末からの監視や制御の要求を受信する。この動作により、通信端末から宅内の機器の監視や制御が可能になる。
【００３８】
また、宅内の機器において火災検知など通信端末に通知すべきイベントが生じたときには、宅内の機器からセンタサーバ２００に通知し、センタサーバ２００から通信端末に対して電子メールによる通知を行う。
【００３９】
宅内サーバ１１６における宅内網との通信機能のうち重要な機能は、宅内網を構成する機器の検出と管理である。宅内サーバ１１６では、ＵＰｎＰ（Universal Plug and Play）を応用して宅内網に接続された機器を自動的に検出する。宅内サーバ１１６はブラウザ機能を有する表示器１１７を備え、検出した機器の一覧を表示器１１７に表示する。この表示器１１７はタッチパネル式もしくは操作部が付設された構成を有し、表示器１１７の画面に表示された選択肢から所望の内容を選択する操作が可能になっている。したがって、宅内サーバ１１６の利用者（施工業者あるいは家人）は、表示器１１７の画面上で機器の監視ないし制御が可能になる。表示器１１７は宅内サーバ１１６とは分離して設けてもよい。
【００４０】
宅内サーバ１１６では、機器の接続に関する情報を管理しており、宅内網に接続された機器の種類や機能とアドレスとを把握する。したがって、宅内網の機器を連動動作させることができる。機器の接続に関する情報は上述のように自動的に検出されるが、機器を連動動作させるには、機器自身が保有する属性により自動的に関係付けを行うほか、宅内サーバ１１６にパーソナルコンピュータのような情報端末を接続し、情報端末のブラウザ機能を利用して機器の関係付けを行うこともできる。
【００４１】
機器の連動動作の関係は各機器がそれぞれ保持する。したがって、機器は宅内サーバ１１６を通すことなく連動動作することができる。各機器について、連動動作の関係付けを行うことにより、たとえば、機器であるスイッチの操作により、機器である照明器具１０２ａの点灯あるいは消灯の動作を行うことが可能になる。また、連動動作の関係付けはサブシステム内で行うことが多いが、サブシステムを超える関係付けも可能である。
【００４２】
ところで、直流電力供給部１０１は、基本的には、商用電源のように宅外から供給される交流電源ＡＣの電力変換により直流電力を生成する。図示例では、交流電源ＡＣは、分電盤１１０に内器として取り付けられた主幹ブレーカ１１１を通して、スイッチング電源を含むＡＣ／ＤＣコンバータ１１２に入力される。ＡＣ／ＤＣコンバータ１１２から出力される直流電力は、協調制御部１１３を通して各直流ブレーカ１１４に接続される。
【００４３】
直流電力供給部１０１には、交流電源ＡＣから電力が供給されない期間（たとえば、商用電源ＡＣの停電期間）に備えて二次電池１６２が設けられている。また、直流電力を生成する太陽電池１６１や燃料電池１６３を併用することも可能になっている。交流電源ＡＣから直流電力を生成するＡＣ／ＤＣコンバータ１１２を備える主電源に対して、太陽電池１６１や二次電池１６２や燃料電池１６３は分散電源になる。なお、図示例において、太陽電池１６１、二次電池１６２、燃料電池１６３は出力電圧を制御する回路部を含み、二次電池１６２は放電だけではなく充電を制御する回路部も含んでいる。
【００４４】
分散電源のうち太陽電池１６１や燃料電池１６３は必ずしも設けなくてもよいが、二次電池１６２は設けるのが望ましい。二次電池１６２は主電源や他の分散電源により適時充電され、二次電池１６２の放電は、交流電源ＡＣから電力が供給されない期間だけではなく必要に応じて適時に行われる。二次電池１６２の充放電や主電源と分散電源との協調は、協調制御部１１３により行われる。すなわち、協調制御部１１３は、直流電力供給部１０１を構成する主電源および分散電源から直流機器１０２への電力の配分を制御する直流電力制御部として機能する。なお、太陽電池１６１、二次電池１６２、燃料電池１６３の出力を交流電力に変換し、ＡＣ／ＤＣコンバータ１１２の入力電力として用いる構成を採用してもよい。
【００４５】
直流機器１０２の駆動電圧は機器に応じた複数種類の電圧から選択されるから、協調制御部１１３にＤＣ／ＤＣコンバータを設け、主電源および分散電源から得られる直流電圧を必要な電圧に変換するのが望ましい。通常は、１系統のサブシステム（もしくは１台の直流ブレーカ１１４に接続された直流機器１０２）に対して１種類の電圧が供給されるが、１系統のサブシステムに対して３線以上を用いて複数種類の電圧を供給するように構成してもよい。あるいはまた、直流供給線路Ｗｄｃを２線式とし、線間に印加する電圧を時間経過に伴って変化させる構成を採用することも可能である。ＤＣ／ＤＣコンバータは、直流ブレーカと同様に複数に分散して設けてもよい。
【００４６】
上述の構成例では、ＡＣ／ＤＣコンバータ１１２を１個だけ図示しているが、複数個のＡＣ／ＤＣコンバータ１１２を並設することが可能であり、複数個のＡＣ／ＤＣコンバータ１１２を設けるときには、負荷の大きさに応じて運転するＡＣ／ＤＣコンバータ１１２の台数を増減させるのが望ましい。
【００４７】
上述したＡＣ／ＤＣコンバータ１１２、協調制御部１１３、直流ブレーカ１１４、太陽電池１６１、二次電池１６２、燃料電池１６３には通信機能が設けられており、主電源および分散電源や直流機器１０２を含む負荷の状態に対処する連携動作を行うことを可能にしている。この通信に用いる通信信号は、直流機器１０２に用いる通信信号と同様に直流電圧に重畳する形式で伝送する。
【００４８】
上述の例では主幹ブレーカ１１１から出力された交流電力をＡＣ／ＤＣコンバータ１１２により直流電力に変換するために、ＡＣ／ＤＣコンバータ１１２を分電盤１１０内に配置しているが、主幹ブレーカ１１１の出力側において分電盤１１０内に設けた分岐ブレーカ（図示せず）で交流供給線路を複数系統に分岐し、各系統の交流供給線路にＡＣ／ＤＣコンバータを設けて系統ごとに直流電力に変換する構成を採用してもよい。
【００４９】
この場合、家屋Ｈの各階や各部屋を単位として直流電力供給部１０１を設けることができるから、直流電力供給部１０１を系統別に管理することができ、しかも、直流電力を利用する直流機器１０２との間の直流供給線路Ｗｄｃの距離が小さくなるから、直流供給線路Ｗｄｃでの電圧降下による電力損失を低減させることができる。また、主幹ブレーカ１１１および分岐ブレーカを分電盤１１０に収納し、ＡＣ／ＤＣコンバータ１１２と協調制御部１１３と直流ブレーカ１１４と宅内サーバ１１６とを分電盤１１０とは別の盤に収納してもよい。
【００５０】
次に、本発明の配線器具１について説明する。本発明の配線器具１は、外部からの直流供給線路Ｗｄｃに接続され、建物の造営材に取り付けられるもので、以下に示す実施形態では配線器具１を、造営材としての天井に取り付けられるシーリング（引掛シーリング１ａ）として説明する。
【００５１】
図１（ａ）は本実施形態の配線器具１を用いた給電システムの要部を示した概略構成図であり、住宅内に設置された分電盤１１０内の直流ブレーカ１１４から分岐した直流供給線路Ｗｄｃに引掛シーリング１ａが接続されている。
【００５２】
引掛シーリング１ａは、天井に取り付けられる本体ケーシング１０を備えており、本体ケーシング１０内には図１（ｂ）に示すように、直流供給線路Ｗｄｃに接続される直流入力端子２１と、送り配線用の端子１１と、直流供給線路Ｗｄｃから供給される直流電力を直流入力端子２１を介して直流機器に供給するため該直流機器に接続される機器用出力端子３と、リレー接点あるいは半導体スイッチからなり、直流入力端子２１及び送り配線用の端子１１と機器用出力端子３との間を接続する給電路１２の途中に設けられたスイッチ１３と、人体検知回路部４と、人体検知回路部４からの検知信号に基づいてスイッチ１３のオン／オフを制御する給電制御部５とを備えている。直流機器は、本実施形態では、引掛シーリング１ａに接続され直流電力により駆動される照明器具１０２ａである。直流機器が接続される引掛シーリング１ａの機器用出力端子３は、本実施形態では直流機器１０２が備える引掛キャップに設けた引掛栓刃（図示せず）と引掛係止する引掛栓刃受部となっていて、引掛キャップが着脱自在に接続される引掛接続部３０が形成してある。
【００５３】
人体検知回路部４は、直流電力により動作するセンサ回路４１と、人体検知センサ４２とを備えている。センサ回路４１は、直流供給線路Ｗｄｃからの直流電力を直流入力端子２１を介して供給させることで動作するもので、センサ回路４１の動作電圧と直流供給線路Ｗｄｃの直流電圧とが異なる場合には、図３に示すように途中にＤＣ／ＤＣコンバータ１４を設けて電圧変換を行う。センサ回路４１には、人体検知センサ４２からの検知出力が入力され、前記検知出力に基づいて増幅等を行って、人体検知及び人体非検知に対応する異なる検知信号を出力して給電制御部５に入力させるようになっている。人体検知センサ４２としては、熱線感知センサが好適に用いられるが、特に限定されない。
【００５４】
給電制御部５は、前記検知信号に基づいて、スイッチ１３の開閉を行うことで、直流入力端子２１と機器用出力端子３との間の給電路１２の通電を制御し、直流機器１０２のオン／オフ制御を行う。オン／オフ制御は、人体検知センサ４２が人体を検知していない時には、センサ回路４１からは人体非検知に対応した検知信号が出力されて給電制御部５に入力される。給電制御部５では前記検知信号を受けて、スイッチ１３を開極させ、直流機器１０２への電力供給を遮断し、照明器具１０２ａは消灯する。本実施形態では、センサ回路４１を介して直流供給線路Ｗｄｃより給電されているが、直流供給線路Ｗｄｃに直接接続されていてもよい。
【００５５】
また、人体検知センサ４２が人体を検知した時には、センサ回路４１からは人体検知に対応した検知信号が出力されて給電制御部５に入力される。給電制御部５では前記検知信号を受けて、スイッチ１３を閉極させ、直流機器１０２への電力供給を行い、照明器具１０２ａは点灯する。このように、人体の検知により自動で照明器具１０２ａの点灯及び消灯を制御することができ、暗い部屋等で点灯／消灯の操作部の位置が分からない時でも点灯が素早く確実に行われ、また、使用者が自ら点灯／消灯の操作部を操作する手間が省ける。
【００５６】
本発明の配線器具１にあっては、外部からの直流供給線路Ｗｄｃに接続されることを前提とし、センサ回路４１に直流供給線路Ｗｄｃからの直流電力を直接（すなわち交流から直流へ変換することなく）供給することが可能となって、従来のように交流から直流へ変換する際にＡＣ／ＤＣコンバータで大きなロスが生じるといったことがなくて消費電力を抑えることができ、また、配線器具にＡＣ／ＤＣコンバータを設ける必要がなく、製造コストを抑えることができる。
【００５７】
また、本体ケーシング１０の他例として、図４に示すように本体ケーシング１０の一部を膨出させて、人体検知回路部４を収容するスペースを有するセンサ収容部１５を形成し、該センサ収容部１５内に人体検知回路部４を収容してもよい。この場合、本体ケーシング１０全体を大きくする必要がない。
【００５８】
また、他の実施形態として、図５に示すように、人体検知回路部４を本体ケーシング１０とは別体として設けてもよい。人体検知回路部４を収容するセンサケーシング６を本体ケーシング１０とは別に形成し、該センサケーシング６内に人体検知回路部４を収容する。該センサケーシング６は、天井の本体ケーシング１０を取り付けた箇所から離れた所望の箇所に取り付け、本体ケーシング１０とセンサケーシング６との間には、センサ回路４１と給電制御部５及び直流供給線路Ｗｄｃを接続する配線を覆う配線カバー６１を設けるものである。この場合、造営面の本体ケーシング１０の取り付け箇所から離れた箇所に人体検知センサ４２を取り付けることが可能となって、人体検知センサ４２の設置位置の自由度が増す。
【００５９】
また更に他の実施形態として図６に示すように、配線器具１において、外部からの交流供給線路Ｗａｃに接続される交流入力端子２１ａと、交流入力端子２１ａと機器用出力端子３ａとを設けてもよい。図中の符号１１ａは交流用の送り配線用の端子を示し、符号１２ａは交流入力端子２１ａ及び送り配線用の端子１１ａと機器用出力端子３ａとの間を接続する給電路を示し、符号１３ａは給電路１２ａの途中に設けられたスイッチを示す。これにより、交流入力端子２１ａを介して前記交流供給線路Ｗａｃから供給される交流電力を、機器用出力端子３ａに接続される交流駆動の照明器具１０２ａに交流電力を供給することが可能となっている。この場合、電気機器として交流電力により駆動される交流機器を用いることが可能となる。また直流電力は、人体検知回路部４にのみ供給される。
【００６０】
また上記図６の他例として、図７に示すように、配線器具１において、交流入力端子２１ａと、該交流入力端子２１ａと接続される交流の機器用出力端子３ａとを、直流入力端子２１と接続される直流の機器用出力端子３とは別に設けてもよい。この場合、照明器具１０２ａには、交流機器と直流機器のいずれでも使用することができる。
【００６１】
次に、上記のような配線器具１を用いた給電システムについて説明する。
【００６２】
本給電システムは、図８（ａ）に示すように、屋内に配設された直流供給線路Ｗｄｃに、複数の配線器具１としての引掛シーリング１ａを接続し、各引掛シーリング１ａに照明器具ａを接続して構成される。特に、直流供給線路Ｗｄｃは、屋内の廊下等の通路に沿って配設され、複数の引掛シーリング１ａが直流供給線路Ｗｄｃに接続されて、通路に沿って順に取り付けてある。そして、各引掛シーリング１ａの人体検知回路部４からの検知信号に基づいて、各照明器具１０２ａの給電制御部５は点灯状態を制御するものである。各引掛シーリング１ａの人体検知センサ４２の検知範囲Ａは、該照明器具１０２ａの近傍で、隣接する引掛シーリング１ａの人体検知センサ４２の検知範囲Ａと若干重複するのが好ましい。
【００６３】
人が通路を移動すると、順に配設された引掛シーリング１ａは、図８（ｂ）に示すように人が近接すると人体検知センサ４２が検知して照明器具１０２ａを点灯させ、図８（ｃ）に示すように人が遠ざかると人体検知センサ４２の検知がなくなって消灯させ、人が近接している照明器具１０２ａのみ点灯させて他の照明器具１０２ａを消灯させることができて、省エネ効果が高いものである。
【００６４】
上記においては、配線器具１を引掛シーリング１ａとして説明したが、図９に示すように配線器具１はコンセント１ｂであってもよい。図９（ｂ）中の符号３１は、直流機器１０２の栓刃を受ける、機器用出力端子３としての栓刃受部を示す。
【図面の簡単な説明】
【００６５】
【図１】（ａ）は本発明の配線器具を用いた給電システムの要部説明図であり、（ｂ）は配線器具の構成図である。
【図２】直流配電システムの全体説明図である。
【図３】配線器具の他例の構成図である。
【図４】配線器具の更に他例の斜視図である。
【図５】他の実施形態の配線器具の斜視図である。
【図６】更に他の実施形態の配線器具の構成図である。
【図７】同上の実施形態の他例の配線器具の構成図である。
【図８】配線器具を用いた給電システムの要部説明図である。
【図９】更に他の実施形態の配線器具を示し、（ａ）は外観斜視図であり、（ｂ）は構成図である。
【符号の説明】
【００６６】
１      配線器具
１ａ    引掛シーリング（シーリング）
１０    本体ケーシング
１１    送り配線用の端子
１１ａ  送り配線用の端子（交流用）
１２    給電路
１２ａ  給電路（交流用）
１３    スイッチ
１４    ＤＣ／ＤＣコンバータ
２１    直流入力端子
２１ａ  交流入力端子
３      機器用出力端子
３ａ    機器用出力端子（交流用）
４      人体検知回路部
４１    センサ回路
４２    人体検知センサ
５      給電制御部
６      センサケーシング
６１    配線カバー
１０２ａ  照明器具
Ｗｄｃ  直流供給線路
【図１】
2010040389.tif 000003
【図２】
2010040389.tif 000004
【図３】
2010040389.tif 000005
【図４】
2010040389.tif 000006
【図５】
2010040389.tif 000007
【図６】
2010040389.tif 000008
【図７】
2010040389.tif 000009
【図８】
2010040389.tif 000010
【図９】
2010040389.tif 000011